(57)【特許請求の範囲】
【請求項１】
撮影用開口を備えたシャッタ地板と、
前記撮影用開口を閉鎖・開放する羽根と、
前記羽根を走行させる駆動部材と、
固定子及びこの固定子に対して往復移動可能な可動子を有し、前記可動子によって前記駆動部材を係止する電磁アクチュエータとを備えていて、
前記駆動部材は、前記羽根の閉鎖位置に対応する第１の位置にあるときに前記可動子に係止される第１の係止部と、前記羽根の開放位置に対応する第２の位置にあるときに前記可動子に係止される第２の係止部とを有していることを特徴とするカメラ用フォーカルプレンシャッタ。
【請求項２】
前記駆動部材には、前記可動子と摺動接触するカム面が形成されていることを特徴とする請求項１記載のカメラ用フォーカルプレンシャッタ。
【請求項３】
前記駆動部材および前記可動子のいずれか一方には、係止用の引っ掛け爪が設けられていることを特徴とする請求項１〜２のいずれか一項記載のカメラ用フォーカルプレンシャッタ。
【請求項４】
前記電磁アクチュエータは、前記固定子にコイル部を有すると共に前記可動子に磁石部を有するリニア直流モータであることを特徴とする請求項１〜３のいずれか一項記載のカメラ用フォーカルプレンシャッタ。
【請求項５】
前記固定子は、筒状のヨークと、このヨークの内側に配置され、コイルを巻回して前記コイル部を形成したボビンとを有し、前記ボビンには、その軸線方向に延びる直線ガイド部が設けられており、この直線ガイド部に対して前記可動子が直線移動可能となっていることを特徴とする請求項４記載のカメラ用フォーカルプレンシャッタ。
【発明の詳細な説明】
【０００１】
【発明の属する技術分野】
本発明は、シャッタ地板の撮影用開口を閉鎖・開放する羽根を備えたカメラ用フォーカルプレンシャッタに関する。
【０００２】
【従来の技術】
一般にカメラ用フォーカルプレンシャッタは、撮影用開口を有するシャッタ地板を備えている。このシャッタ地板には、撮影用開口を閉鎖・開放する羽根が設けられ、この羽根には回動可能な駆動レバーが連結されている。このようなフォーカルプレンシャッタにおいて、シャッタ地板には、例えば電磁石が設けられており、この電磁石によって、駆動レバーを羽根の閉鎖位置に対応する位置または羽根の開放位置に対応する位置に保持するようにしている。
【０００３】
【発明が解決しようとする課題】
しかしながら、上記従来技術においては、電磁石の吸着面にゴミや油・水滴等が付着すると、電磁石に対して駆動レバーが吸着不良となり、この場合には、羽根が閉鎖位置または開放位置に確実に保持されなくなり、未露光や露光アンダー、露光オーバーとなってしまう恐れがある。また、このような不具合を防止するには、防塵部材などを設けることが考えられるが、この場合にはコストアップになってしまう。
【０００４】
本発明の目的は、品質を向上させ且つコストダウン化を図ることができるカメラ用フォーカルプレンシャッタを提供することである。
【０００５】
【課題を解決するための手段】
上記の目的を達成するため、本発明に係るカメラ用フォーカルプレンシャッタは、撮影用開口を備えたシャッタ地板と、撮影用開口を閉鎖・開放する羽根と、羽根を走行させる駆動部材と、固定子及びこの固定子に対して往復移動可能な可動子を有し、可動子によって駆動部材を係止する電磁アクチュエータとを備えていて、駆動部材は、羽根の閉鎖位置に対応する第１の位置にあるときに可動子に係止される第１の係止部と、羽根の開放位置に対応する第２の位置にあるときに可動子に係止される第２の係止部とを有している構成とする。
【０００６】
以上のように構成した本発明においては、駆動部材を所定の位置に保持するときは、電磁アクチュエータの可動子を所定方向に移動させ、この可動子によって駆動部材を係止する。また、上記可動子による駆動部材の係止を解除するときは、電磁アクチュエータの可動子を反対方向に移動させる。さらに、駆動部材は、羽根の閉鎖位置に対応する第１の位置にあるときに可動子に係止される第１の係止部と、羽根の開放位置に対応する第２の位置にあるときに可動子に係止される第２の係止部とを有している。このように駆動部材の係止および係止解除を電磁アクチュエータで行うことにより、電磁石を使用しなくて済むため、ゴミや油・水滴等に対して強くなり、シャッタの品質が向上する。また、防塵部材等を設ける必要がなくなるので、コストダウン化が図れる。さらに、例えば駆動部材をバネの付勢力で第１の位置または第２の位置に戻す場合、駆動部材が第１の位置または第２の位置に達した直後に、電磁アクチュエータの可動子を移動させて第１の係止部または第２の係止部を係止することにより、駆動部材がストッパ等に当たって大きくはね返ることはほとんど無い。したがって、緩衝部材やブレーキ部材等を設けることなく、羽根のバウンドを防止することができ、これにより、シャッタ自体の小型化やコストダウン化を図りつつ、再露光等を防止することができる。
【０００８】
好ましくは、駆動部材には、可動子と摺動接触するカム面が形成されている構成であってもよい。これにより、例えば不慮の要因により、駆動部材が所定の位置に達する前に可動子が移動して駆動部材に当接しても、駆動部材は可動子をカム面に摺動接触させた状態で所定の位置に達し、駆動部材は可動子に確実に係止されるようになる。
【０００９】
また、好ましくは、駆動部材および可動子のいずれか一方には、係止用の引っ掛け爪が設けられている。これにより、駆動部材が可動子に係止されるときには、駆動部材と可動子とがほぼ線接触または点接触の状態となるので、駆動部材の係止解除時において可動子の移動によって生じる摩擦抵抗が小さくなり、駆動部材の動作のばらつきが少なくなる。
【００１０】
さらに、好ましくは、電磁アクチュエータは、固定子にコイル部を有すると共に可動子に磁石部を有するリニア直流モータである。これにより、コイル部のコイルが通電されても、コイル部が動くことは無いため、配線が容易に行えると共に、コイルに接続されたリード線の断線が防止される。
【００１１】
この場合、固定子は、筒状のヨークと、このヨークの内側に配置され、コイルを巻回してコイル部を形成したボビンとを有し、ボビンには、その軸線方向に延びる直線ガイド部が設けられており、この直線ガイド部に対して可動子が直線移動可能となっている構成とするのが好ましい。これにより、リニア直流モータの構造が簡単になり、かつ可動子がスムーズに往復移動する。
【００１２】
【発明の実施の形態】
以下、本発明に係るカメラ用フォーカルプレンシャッタの好適な実施形態について図面を参照して説明する。
【００１３】
まず、本発明に係るカメラ用フォーカルプレンシャッタの第１の実施形態を図１〜図６により説明する。図１において、フォーカルプレンシャッタ１は、矩形状の撮影用開口であるアパーチャ２ａを有するシャッタ地板２を備えている。このシャッタ地板２の裏面部には、アパーチャ２ａを閉鎖・開放する２枚の羽根３Ａ，３Ｂが羽根アーム４Ａ，４Ｂを介して上下方向（図１で見て上下方向）に走行自在に支持されている。ここでは、羽根３Ａを先羽根、羽根３Ｂを後羽根と呼ぶこととする。羽根アーム４Ａには、先羽根３Ａを上下方向に走行させる駆動部材としての先羽根駆動レバー５Ａが連結され、羽根アーム４Ｂには、後羽根３Ｂを上下方向に走行させる駆動部材としての後羽根駆動レバー５Ｂが連結されている。先羽根駆動レバー５Ａと後羽根駆動レバー５Ｂとは、シャッタ地板２の表面部の一端側に上下方向に所定の間隔を隔てて配置されている。
【００１４】
先羽根駆動レバー５Ａは、シャッタ地板２に軸６Ａを介して回動自在に取り付けられ、バネ７によって右旋性（時計回り方向の回動習性）の付勢力が付与されている。また、先羽根駆動レバー５Ａには、後述するセットレバー１７と係合する作動片８と、後述するリニア直流モータ２２Ａと係合する第１の係止部９及び第２の係止部１０とが設けられている。
【００１５】
後羽根駆動レバー５Ｂは、シャッタ地板２に軸６Ｂを介して回動自在に取り付けられ、バネ１１によって左旋性（反時計回り方向の回動習性）の付勢力が付与されている。また、後羽根駆動レバー５Ｂには、後述するリニア直流モータ２２Ｂと係合する第１の係止部１２及び第２の係止部１３が設けられている。
【００１６】
後羽根駆動レバー５Ｂには、軸６Ｂを介して補助後羽根駆動レバー１４が連結されている。補助後羽根駆動レバー１４は、バネ１５によって右旋性の付勢力が付与されている。なお、バネ１５は、バネ１１の付勢力に対して打ち勝つような付勢力を有している。そして、補助後羽根駆動レバー１４は、バネ１５の付勢力により後羽根駆動レバー５Ｂ上に設けられたピンPに当たって、後羽根駆動レバー５Ｂと略一体に回動可能となっている。また、補助後羽根駆動レバー１４には、後述するセットレバー１７と係合する作動片１６が設けられている。
【００１７】
先羽根駆動レバー５Ａと後羽根駆動レバー５Ｂとの間には、カメラ内部の図示しない駆動モータにより作動するセットレバー１７が配置されている。このセットレバー１７は、シャッタ地板２に軸１８を介して回動自在に取り付けられ、バネ１９によって左旋性の付勢力が付与されている。また、セットレバー１７には、先羽根駆動レバー５Ａの作動片８を押動するカム部２０と、補助後羽根駆動レバー１４の作動片１６を押動するカム部２１とが設けられている。
【００１８】
また、羽根駆動レバー５Ａ，５Ｂの近傍位置には、羽根駆動レバー５Ａ，５Ｂを所定の位置に保持する電磁アクチュエータであるリニア直流モータ２２Ａ，２２Ｂが配置されている。このリニア直流モータ２２Ａ，２２Ｂの構造を図２に示す。
【００１９】
同図において、リニア直流モータ２２Ａ，２２Ｂは、固定子２３を備えている。この固定子２３は、筒状のヨーク２４と、このヨーク２４の内側に配置され、コイル２５を巻回したカップ状のボビン２６とを有しており、コイル２５及びボビン２６によりコイル部を形成している。また、ボビン２６には、ボビン２６の軸線方向に延びる直線ガイド部２８が設けられている。
【００２０】
このような固定子２３内には、可動子２９が往復移動可能に収容されている。可動子２９は、円柱状の永久磁石（磁石部）からなり、ボビン２６の内側に所定の間隔を隔てて配置されている。また、可動子２９には、その軸線方向に延びる穴部２９ａが形成されており、この穴部２９ａに直線ガイド部２８が直線移動自在に嵌入されている。
【００２１】
このようなリニア直流モータ２２Ａ，２２Ｂにおいて、カメラ内部の図示しない制御系からの電気信号により、例えばコイル２５が正方向に通電されると、可動子２９が固定子２３に対して収縮し、コイル２５が逆方向に通電されると、可動子２９が固定子２３に対して伸長する。このとき、コイル２５は固定子２４側に設けられているので、コイル２５は通電されても動くことは無い。したがって、コイル２５の配線が容易に行えると共に、コイル２５に接続された電気リード線の断線が防止され、これにより可動子２９の繰り返し精度が向上する。また、固定子２４に直線ガイド部２８を設けたので、可動子２９がスムーズに直線移動する。
【００２２】
上記のようにリニア直流モータ２２Ａ，２２Ｂの可動子２９を伸縮させることによって、羽根駆動レバー５Ａ，５Ｂを、羽根３Ａ，３Ｂの閉鎖位置に対応する第１の位置または羽根３Ａ，３Ｂの開放位置に対応する第２の位置に保持することができる。具体的には、先羽根駆動レバー５Ａが先羽根３Ａの閉鎖位置に対応する第１の位置にあるとき（図１及び図３参照）に、リニア直流モータ２２Ａの可動子２９を伸長させると、先羽根駆動レバー５Ａの第１の係止部９が可動子２９に係止されて、先羽根駆動レバー５Ａが第１の位置に保持され、この状態から可動子２９を収縮させると、第１の係止部９の係止が解除される。また、先羽根駆動レバー５Ａが先羽根３Ａの開放位置に対応する第２の位置にあるときに（図４参照）、リニア直流モータ２２Ａの可動子２９を伸長させると、先羽根駆動レバー５Ａの第２の係止部１０が可動子２９に係止されて、先羽根駆動レバー５Ａが第２の位置に保持され、この状態から可動子２９を収縮させると、第２の係止部１０が解除される。なお、後羽根駆動レバー５Ｂについても、上記と同様にして、リニア直流モータ２２Ｂの可動子２９による係止及びその解除が行われる。
【００２３】
このように羽根駆動レバー５Ａ，５Ｂの係止及びその解除をリニア直流モータ２２Ａ，２２Ｂで行うことにより、電磁石を使用しなくて済むため、ゴミや油・水滴等に対して強くなり、未露光や露光アンダー、露光オーバーとなることが防止され、これによりシャッタの品質が向上する。また、防塵部材等を設ける必要がなくなるので、コストダウン化が図れる。さらに、組立ラインにクリーンルームのような特別な環境を必要としなくて済むため、設備投資も最小限で済み、この点でもコストダウン化が図れる。
【００２４】
なお、リニア直流モータは、上記のような直線運動可能なものに限らず、円弧的に往復運動可能なものであってもよい。
【００２５】
以上のように構成したフォーカルプレンシャッタ１の動作を説明する。なお、最初は、先羽根駆動レバー５Ａの第１の係止部９がリニア直流モータ２２Ａの可動子２９に係止されて、先羽根３Ａがアパーチャ２ａを閉鎖し、後羽根駆動レバー５Ｂの第２の係止部１３がリニア直流モータ２２Ｂの可動子２９に係止されて、後羽根３Ｂがアパーチャ２ａを開放している走行開始状態（図１参照）にあるものとする。
【００２６】
この状態から、図示しない制御系によりリニア直流モータ２２Ａのコイル２５（図２参照）を正方向に通電し、リニア直流モータ２２Ａの可動子２９を図３の実線で示すように収縮させる。すると、可動子２９による先羽根駆動レバー５Ａの係止が解除され、先羽根駆動レバー５Ａがバネ７の付勢力により軸６Ａを中心に右旋する（図４参照）。これに伴って、先羽根駆動レバー５Ａと連結された先羽根３Ａが下方に走行し、アパーチャ２ａを開放する。また、このとき、セットレバー１７がバネ１９の付勢力により軸１８を中心に左旋する。
【００２７】
そして、先羽根駆動レバー５Ａが、シャッタ地板２に設けられたストッパ３０に当たった後、直ちにリニア直流モータ２２Ａのコイル２５を逆方向に通電し、リニア直流モータ２２Ａの可動子２９を図４の実線で示すように伸長させる。すると、先羽根駆動レバー５Ａの第２の係止部１０が可動子２９に係止され、先羽根駆動レバー５Ａは先羽根３Ａの開放位置に対応する第２の位置に保持される。このように先羽根駆動レバー５Ａがストッパ３０に当たった直後にリニア直流モータ２２Ａの可動子２９を伸長させることにより、先羽根駆動レバー５Ａがストッパ３０に当たって大きく跳ね返ることが防止され、これにより、先羽根３Ａがバウンドして未露光や露光不足が生じることが防止される。以上のように、緩衝部材やブレーキ部材等を設けなくても、先羽根３Ａのバウンドを防止することができるため、シャッタ１の信頼性を確保しつつ、シャッタ１の小型化やコストダウン化を図ることが可能となる。
【００２８】
続いて、リニア直流モータ２２Ｂのコイル２５（図２参照）を正方向に通電し、リニア直流モータ２２Ｂの可動子２９を図４の実線で示すように収縮させる。すると、可動子２９による後羽根駆動レバー５Ｂの係止が解除され、後羽根駆動レバー５Ｂがバネ１５の付勢力により補助後羽根駆動レバー１４と一体に軸６Ｂを中心に右旋する（図５参照）。これに伴って、後羽根駆動レバー５Ｂと連結された後羽根３Ｂが下方に走行し、アパーチャ２ａを閉鎖する。
【００２９】
そして、後羽根駆動レバー５Ｂが、シャッタ地板２に設けられたストッパ３１に当たった後、直ちにリニア直流モータ２２Ｂのコイル２５を逆方向に通電し、リニア直流モータ２２Ｂの可動子２９を図５の実線で示すように伸長させる。すると、後羽根駆動レバー５Ｂの第１の係止部１２が可動子２９に係止され、後羽根駆動レバー５Ｂは先羽根３Ｂの閉鎖位置に対応する第１の位置に保持される。この時にも、上記と同様に、後羽根駆動レバー５Ｂがストッパ３１に当たって大きく跳ね返ることが防止される。これにより、後羽根３Ｂがバウンドした場合も再露光が発生し難くなる。
【００３０】
その後、リニア直流モータ２２Ａの可動子２９を収縮させ、その可動子２９による先羽根駆動レバー５Ａの係止を解除した後、図示しない駆動モータによりセットレバー１７を軸１８を中心にして右旋させる。すると、セットレバー１７のカム部２０が先羽根駆動レバー５Ａの作動片８を押動し、これによって先羽根駆動レバー５Ａが軸６Ａを中心に左旋し、これに伴って先羽根３Ａがアパーチャ２ａを閉鎖する。また、上記とほぼ同時に、セットレバー１７のカム部２１が補助後羽根駆動レバー１４の作動片１６を押動し、これによって補助後羽根駆動レバー１４が軸６Ｂを中心に左旋して走行開始位置に達する（図６参照）。そして、リニア直流モータ２２Ａの可動子２９を図６の点線で示すように伸長させると、先羽根駆動レバー５Ａの第１の係止部９が可動子２９に係止され、先羽根駆動レバー５Ａは先羽根３Ａの閉鎖位置に対応する第１の位置に保持される。これにより、シャッタ１は、先羽根３Ａ及び後羽根３Ｂの両方でアパーチャ２ａを閉鎖する二重遮光の状態となる。
【００３１】
そして、リニア直流モータ２２Ｂの可動子２９を図６の実線で示すように収縮させると、その可動子２９による後羽根駆動レバー５Ｂの係止が解除され、後羽根駆動レバー５Ｂがバネ１１の付勢力により軸６Ｂを中心に左旋し、走行開始位置に達する（図３参照）。これに伴って、後羽根駆動レバー５Ｂと連結された後羽根３Ｂが上方に走行し、アパーチャ２ａを開放し、図１に示す走行開始状態に戻る。以後、上記の動作が繰り返し行われる。
【００３２】
以上のように構成したシャッタ１では、専用の部品を必要とせずに二重遮光が可能となるため、特に高い遮光性を必要とするレンジファインダーのカメラに適している。
【００３３】
なお、上記の実施形態では、羽根駆動レバー５Ａ，５Ｂに第１の係止部９，１２及び第２の係止部１０，１３を設けるように構成したが、羽根３Ａ，３Ｂのバウンド防止用の緩衝部材等を有していれば、上記の係止部１０，１２は設けず、係止部９，１３のみがリニア直流モータ２２Ａ，２２Ｂの可動子２９に係止されるようにしてもよい。
【００３４】
本発明に係るカメラ用フォーカルプレンシャッタの第２の実施形態を図７及び図８により説明する。図中、第１の実施形態と同一または同等の部材には同じ符号を付し、その説明を省略する。
【００３５】
図７において、フォーカルプレンシャッタ４０は、形状が第１の実施形態と異なる先羽根駆動レバー４１Ａ及び後羽根駆動レバー４１Ｂを備えている。羽根駆動レバー４１Ａ，４１Ｂは、バネ７，１５によって右旋性の付勢力が付与されている。また、羽根駆動レバー４１Ａ，４１Ｂには、リニア直流モータ２２Ａ，２２Ｂの可動子２９に係止される引っ掛け爪４２Ａ，４２Ｂが設けられている。この引っ掛け爪４２Ａ，４２Ｂは、リニア直流モータ２２Ａ，２２Ｂの可動子２９に係止されたときに、可動子２９とほぼ線接触、好ましくはほぼ点接触の状態となるような形状を有している。ここで、引っ掛け爪４２Ａは、先羽根駆動レバー４１Ａが先羽根の閉鎖位置に対応する第１の位置にあるときに可動子２９に係止され、引っ掛け爪４２Ｂは、後羽根駆動レバー４１Ｂが後羽根の開放位置に対応する第２の位置にあるときに可動子２９に係止されるようになっている。
【００３６】
このように引っ掛け爪４２Ａ，４２Ｂを設けることにより、羽根駆動レバー４１Ａ，４１Ｂがリニア直流モータ２２Ａ，２２Ｂの可動子２９に係止されるときには、羽根駆動レバー４１Ａ，４１Ｂと可動子２９とがほぼ線接触または点接触の状態となる。このため、図８に示すように羽根駆動レバー４１Ａ，４１Ｂの係止を解除すべく、可動子２９を収縮させるときに、羽根駆動レバー４１Ａ，４１Ｂと可動子２９との間に生じる摩擦抵抗が小さて済み、羽根駆動レバー４１Ａ，４１Ｂの動作のばらつきが少なくなる。また、羽根駆動レバー４１Ａ，４１Ｂの係止解除に必要な力量が小さくて済むため、リニア直流モータ２２Ａ，２２Ｂを小型化でき、その分シャッタ４０の寸法も小型化できる。
【００３７】
また、羽根駆動レバー４１Ａ，４１Ｂには、リニア直流モータ２２Ａ，２２Ｂの可動子２９と摺動接触する湾曲状のカム面４３Ａ，４３Ｂが、引っ掛け爪４２Ａ，４２Ｂの部分から連続的に形成されている。このようなカム面４３Ａ，４３Ｂを設けた理由は、以下の通りである。
【００３８】
すなわち、図８に示す状態から、セットレバー１７の回動により羽根駆動レバー４１Ａ，４１Ｂを図７に示す位置（係止位置）に移動させ、リニア直流モータ２２Ａ，２２Ｂの可動子２９により羽根駆動レバー４１Ａ，４１Ｂを係止する際、何らかの不慮の原因により可動子２９の伸長するタイミングが早くなってしまうと、可動子２９が羽根駆動レバー４１Ａ，４１Ｂに当接してしまう可能性がある。しかし、羽根駆動レバー４１Ａ，４１Ｂにはカム面４３Ａ，４３Ｂが設けられており、可動子２９の伸長するタイミングが早すぎることがあっても、羽根駆動レバー４１Ａ，４１Ｂは可動子２９をカム面４３Ａ，４３Ｂに摺動接触させ、カム面４３Ａ，４３Ｂが可動子２９を押し退けながら係止位置まで移動するようになる。このため、羽根駆動レバー４１Ａ，４１Ｂは可動子２９に確実に係止される。
【００３９】
上記のフォーカルプレンシャッタ４０では、第１の実施形態と異なり、補助後羽根駆動レバーは設けられておらず、二重遮光にならない構造となっている。また、先羽根駆動レバー４１Ａが先羽根の開放位置に対応する第２の位置にあるとき、及び後羽根駆動レバー４１Ｂが後羽根の閉鎖位置に対応する第１の位置にあるときには、リニア直流モータ２２Ａ，２２Ｂの可動子２９に係止される構成となっていないため、その時の羽根のバウンドを防止するための緩衝部材またはブレーキ部材が必要となる。その他の構成は、第１の実施形態と同じである。
【００４０】
なお、本実施形態では、羽根駆動レバー４１Ａ，４１Ｂに引っ掛け爪４２Ａ，４２Ｂ及びカム面４３Ａ，４３Ｂを設けるように構成したが、カム面は特に設けなくても良い。また、第１の実施形態のように羽根駆動レバーに２つの係止部位を形成し、各係止部位に係止用引っ掛け爪を設けるようにしてもよい。
【００４１】
本発明に係るカメラ用フォーカルプレンシャッタの第３の実施形態を図９により説明する。図中、第２の実施形態と同一または同等の部材には同じ符号を付し、その説明を省略する。
【００４２】
図９において、フォーカルプレンシャッタ５０は、形状が第２の実施形態と異なる先羽根駆動レバー５１Ａ及び後羽根駆動レバー５１Ｂと、固定子５２及び可動子５３からなるリニア直流モータ５４Ａ，５４Ｂとを備えている。
【００４３】
羽根駆動レバー５１Ａ，５１Ｂには、リニア直流モータ５４Ａ，５４Ｂの可動子５３に係止される係止部５５Ａ，５５Ｂと、リニア直流モータ５４Ａ，５４Ｂの可動子５３と摺動接触する湾曲状のカム面５６Ａ，５６Ｂとが設けられている。このカム面５６Ａ，５６Ｂは、係止部５５Ａ，５５Ｂの部分から連続的に形成されている。
【００４４】
リニア直流モータ５４Ａ，５４Ｂは、第２の実施形態と異なり、可動子５３の先端部に、羽根駆動レバー５１Ａ，５１Ｂの係止部５５Ａ，５５Ｂを係止する引っ掛け爪５７が形成されている。この引っ掛け爪５７は、羽根駆動レバー５１Ａ，５１Ｂがリニア直流モータ５４Ａ，５４Ｂの可動子５３に係止されたときに、可動子５３とほぼ線接触、好ましくはほぼ点接触の状態となるような形状を有している。これにより、上述したように可動子５３を収縮させたときに生じる摩擦抵抗が小さくなり、羽根駆動レバー５１Ａ，５１Ｂの動作のばらつきが少なくなる等の効果が得られる。
【００４５】
なお、本実施形態では、羽根駆動レバー５１Ａ，５１Ｂに係止部５５Ａ，５５Ｂ及びカム面５６Ａ，５６Ｂを設けるように構成したが、カム面は特に設けなくても良い。また、第１の実施形態のように羽根駆動レバーに２つの係止部を形成すると共に、リニア直流モータの可動子に、当該２つの係止部に対応する２つの係止用引っ掛け爪を設けるようにしてもよい。
【００４６】
以上、本発明に係るカメラ用フォーカルプレンシャッタの実施形態について、いくつか説明してきたが、本発明は上記実施形態に限定されないことは言うまでもない。例えば、上記実施形態では、羽根駆動レバーの係止及びその係止解除をリニア直流モータにより行うものとしたが、そのようなリニア直流モータ以外にも、例えばリニア電磁ソレノイドといった、固定子に対して往復移動可能な可動子を有する電磁アクチュエータを用いてもよい。また、リニア直流モータを、その可動子がシャッタ地板２に対してほぼ平行に移動するように配置したが、可動子がシャッタ地板２に交差する方向に移動するように配置してもよい。
【００４７】
また、上記実施形態では、先羽根及び後羽根を有するカメラ用フォーカルプレンシャッタについて説明したが、本発明は、羽根が１つしかないフォーカルプレーンシャッタにも適用できる。
【００４８】
【発明の効果】
本発明によれば、電磁アクチュエータの可動子を作動させることによって駆動部材の係止及びその解除を行うようにしたので、ゴミや油・水滴等に対して強くなり、シャッタの品質が向上すると共に、防塵部材等を設ける必要が無くなるため、コストを削減できる。
【図面の簡単な説明】
【図１】本発明に係るカメラ用フォーカルプレンシャッタの第１の実施形態を示す平面図である。
【図２】図１に示すリニア直流モータの構造を示す断面図である。
【図３】図１に示すカメラ用フォーカルプレンシャッタの動作を示す概略図である。
【図４】図１に示すカメラ用フォーカルプレンシャッタの動作を示す概略図である。
【図５】図１に示すカメラ用フォーカルプレンシャッタの動作を示す概略図である。
【図６】図１に示すカメラ用フォーカルプレンシャッタの動作を示す概略図である。
【図７】本発明に係るカメラ用フォーカルプレンシャッタの第２の実施形態において、羽根駆動レバーがリニア直流モータによって係止されている状態を示す図である。
【図８】図７に示すリニア直流モータによる羽根駆動レバーの係止が解除されている状態を示す図である。
【図９】本発明に係るカメラ用フォーカルプレンシャッタの第３の実施形態において、羽根駆動レバーがリニア直流モータによって係止されている状態を示す図である。
【符号の説明】
１…カメラ用フォーカルプレンシャッタ、２…シャッタ地板、２ａ…アパーチャ（撮影用開口）、３Ａ…先羽根、３Ｂ…後羽根、５Ａ…先羽根駆動レバー（駆動部材）、５Ｂ…後羽根駆動レバー（駆動部材）、９…第１の係止部、１０…第２の係止部、１２…第１の係止部、１３…第２の係止部、２２Ａ，２２Ｂ…リニア直流モータ（電磁アクチュエータ）、２３…固定子、２４…ヨーク、２５…コイル（コイル部）、２６…ボビン（コイル部）、２８…直線ガイド、２９…可動子（磁石部）、４０…カメラ用フォーカルプレンシャッタ、４１Ａ…先羽根駆動レバー（駆動部材）、４１Ｂ…後羽根駆動レバー（駆動部材）、４２Ａ，４２Ｂ…係止用の引っ掛け爪、４３Ａ，４３Ｂ…カム面、５０…カメラ用フォーカルプレンシャッタ、５１Ａ…先羽根駆動レバー（駆動部材）、５１Ｂ…後羽根駆動レバー（駆動部材）、５２…固定子、５３…可動子、５４Ａ，５４Ｂ…リニア直流モータ（電磁アクチュエータ）、５５Ａ，５５Ｂ…係止部、５６Ａ，５６Ｂ…カム面、５７…係止用の引っ掛け爪。
【図１】
0004346166.tif 000002
【図２】
0004346166.tif 000003
【図３】
0004346166.tif 000004
【図４】
0004346166.tif 000005
【図５】
0004346166.tif 000006
【図６】
0004346166.tif 000007
【図７】
0004346166.tif 000008
【図８】
0004346166.tif 000009
【図９】
0004346166.tif 000010